【手続補正書】
【提出日】平成17年9月22日(2005.9.22)
【手続補正１】
【補正対象書類名】明細書
【補正対象項目名】発明の名称
【補正方法】変更
【補正の内容】
【発明の名称】シート処理装置及びシート処理装置の制御方法
【手続補正２】
【補正対象書類名】明細書
【補正対象項目名】特許請求の範囲
【補正方法】変更
【補正の内容】
【特許請求の範囲】
【請求項１】  シートを積載するためのシート積載部を有するシート処理装置であって、
前記シート積載部へ排紙すべきシート束の前記シート積載部への排紙位置をシフトさせるシフト排紙手段と、
前記シート積載部に排紙された第１のシート束に関する情報と、前記第１のシート束に引き続き前記シート積載部へ排紙すべき第２のシート束に関する情報とに基づいて、前記第２のシート束の排紙位置を前記シフト排紙手段によりシフトさせるか否かを制御する制御手段と、
を有することを特徴とするシート処理装置。
【請求項２】  シート束に対してステープル処理を実行して該シート束を前記シート積載部へ排紙するステープル処理手段を有し、
前記第２のシート束に関する情報が前記第２のシート束に前記ステープル処理を実行することを示す情報である場合において、前記制御手段は、前記第１のシート束に関する情報が前記ステープル処理を実行することを示す情報である場合は前記第２のシート束に対して前記シフト排紙手段によるシフトをさせず、前記第１のシート束に関する情報が前記ステープル処理を実行しないことを示す情報である場合は前記第２のシート束に対して前記シフト排紙手段によるシフトをさせるよう制御することを特徴とする請求項１に記載のシート処理装置。
【請求項３】  前記第１のシート束に関する情報及び前記第２のシート束に関する情報はシートサイズに関する情報であり、前記制御手段は、前記第１のシート束と前記第２のシート束のシートサイズが異なる場合は前記第２のシート束に対して前記シフト排紙手段によるシフトをさせず、前記第１のシート束と前記第２のシート束のシートサイズが一致する場合は前記第２のシート束に対して前記シフト排紙手段によるシフトをさせることを特徴とする請求項１又は２に記載のシート処理装置。
【請求項４】  前記第１のシート束に関する情報及び前記第２のシート束に関する情報はシートの向きに関する情報であり、前記制御手段は、前記第１のシート束と前記第２のシート束のシートの向きが異なる場合は前記第２のシート束に対して前記シフト排紙手段によるシフトをさせず、前記第１のシート束と前記第２のシート束のシートの向きが一致する場合は前記第２のシート束に対して前記シフト排紙手段によるシフトをさせることを特徴とする請求項１乃至３のいずれかに記載のシート処理装置。
【請求項５】  前記第１のシート束に関する情報及び前記第２のシート束に関する情報はシートタイプに関する情報であり、前記制御手段は、前記第１のシート束と前記第２のシート束のシートタイプが異なる場合は前記第２のシート束に対して前記シフト排紙手段によるシフトをさせず、前記第１のシート束と前記第２のシート束のシートタイプが一致する場合は前記第２のシート束に対して前記シフト排紙手段によるシフトをさせることを特徴とする請求項１乃至４のいずれかに記載のシート処理装置。
【請求項６】  前記シートに画像を形成する画像形成手段を有し、
前記シート積載部へ排紙すべきシート束は、前記画像形成手段により画像が形成されたシートを含むことを特徴とする請求項１乃至５のいずれかに記載のシート処理装置。
【請求項７】  複数の前記シート積載部を有し、
前記制御手段は、前記複数のシート積載部にかかる所定のシート積載部へ前記第１のシート束及び前記第２のシート束を排紙する場合に、前記第２のシート束の排紙位置を前記シフト排紙手段によりシフトさせるか否かを制御することを特徴とする請求項１乃至６のいずれかに記載のシート処理装置。
【請求項８】  シートを積載するためのシート積載部を有するシート処理装置の制御方法であって、
前記シート積載部へ排紙すべきシート束の前記シート積載部への排紙位置をシフトさせるシフト排紙工程と、
前記シート積載部に排紙された第１のシート束に関する情報と、前記第１のシート束に引き続き前記シート積載部へ排紙すべき第２のシート束に関する情報とに基づいて、前記第２のシート束の排紙位置を前記シフト排紙手段によりシフトさせるか否かを制御する制御工程と、
を有することを特徴とするシート処理装置の制御方法。
【手続補正３】
【補正対象書類名】明細書
【補正対象項目名】０００５
【補正方法】変更
【補正の内容】
【０００５】
【課題を解決するための手段】
本発明のシート処理装置は、シートを積載するためのシート積載部を有するシート処理装置であって、前記シート積載部へ排紙すべきシート束の前記シート積載部への排紙位置をシフトさせるシフト排紙手段と、前記シート積載部に排紙された第１のシート束に関する情報と、前記第１のシート束に引き続き前記シート積載部へ排紙すべき第２のシート束に関する情報とに基づいて、前記第２のシート束の排紙位置を前記シフト排紙手段によりシフトさせるか否かを制御する制御手段とを有することを特徴とする。
【手続補正４】
【補正対象書類名】明細書
【補正対象項目名】０００６
【補正方法】変更
【補正の内容】
【０００６】
また、本発明のシート処理装置の制御方法は、シートを積載するためのシート積載部を有するシート処理装置の制御方法であって、前記シート積載部へ排紙すべきシート束の前記シート積載部への排紙位置をシフトさせるシフト排紙工程と、前記シート積載部に排紙された第１のシート束に関する情報と、前記第１のシート束に引き続き前記シート積載部へ排紙すべき第２のシート束に関する情報とに基づいて、前記第２のシート束の排紙位置を前記シフト排紙手段によりシフトさせるか否かを制御する制御工程とを有することを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】
【手続補正３６】
【補正対象書類名】明細書
【補正対象項目名】００９６
【補正方法】変更
【補正の内容】
【００９６】
【発明の効果】
以上説明したように、本発明によれば、シート積載部に排紙された第１のシート束に関する情報と、第１のシート束に引き続きシート積載部に排紙すべき第２のシート束に関する情報とに基づいて、第２のシート束の排紙位置をシフトさせるか否かを制御するので、シート束の区切り目が分からなくなる条件を満たすときに適切にシート束の排紙位置をシフトさせることができる。
【手続補正３７】
【補正対象書類名】明細書
【補正対象項目名】００９７
【補正方法】削除
【補正の内容】
【手続補正３８】
【補正対象書類名】明細書
【補正対象項目名】００９８
【補正方法】削除
【補正の内容】